【事件の表示】
　平成　８年特許願第３０７４９３号「記録媒体再生装置」拒絶査定不服審判事件〔平成１０年　５月２９日出願公開、特開平１０−１４４０６２〕について、次のとおり審決する。
【結　論】
　本件審判の請求は、成り立たない。
【理　由】
１．手続の経緯の概要
　本願は、平成８年１１月５日の出願であって、平成１５年１２月１日付け拒絶理由通知に対して、平成１６年２月６日付けで意見書及び手続補正書が提出されたが、平成１６年２月２５日付けで拒絶査定がなされ、これに対し、平成１６年３月２６日に拒絶査定不服の審判が請求されるとともに、平成１６年４月９日付けで手続補正がなされたものである。
　
２．平成１６年４月９日付けの手続補正についての補正却下の決定
　
〔補正却下の決定の結論〕
　平成１６年４月９日付けの手続補正（以下、「本件手続補正」という。）を却下する。
　
〔理由〕
（１）本件手続補正前及び本件手続補正の本願発明
　本件手続補正は、特許請求の範囲及び発明の詳細な説明についてするもので、特許請求の範囲については、本件手続補正前に、
「　【請求項１】　複数の記録媒体を収納部の各収納エリアに収納し随時引き出して再生することができるチェンジャ式記録媒体再生装置であって、収納部内の各記録媒体のトラックナンバーをプログラムして連続再生するプログラム再生モードを有する記録媒体再生装置において、前記プログラム再生モード時に、所定の収納エリアに対するオープン指示がなされた場合、その収納エリアの記録媒体に関するトラックナンバーを前記プログラムから削除し、その後に当該収納エリアに新たな記録媒体が収納されたとき、当該新たな記録媒体に関するトラックナンバーを、前記プログラムの最後に自動的に追加する手段を備えたことを特徴とする記録媒体再生装置。
　　【請求項２】　請求項１記載の記録媒体再生装置において、プログラム再生モードは、収納部の各収納エリアに収納されている各記録媒体のうち任意の記録媒体に対応する記録媒体ナンバーとその記録媒体の再生したいトラックナンバーとをそれぞれ異なる記録媒体について指定すると、指定された順番に連続再生される通常プログラム再生モードである記録媒体再生装置。
　　【請求項３】　請求項１記載の記録媒体再生装置において、プログラム再生モードは、記録媒体の任意のトラックナンバーを１つ指定するだけで、収納部内の各記録媒体の前記指定トラックナンバーと同一のトラックナンバーのみが自動的にプログラムされて連続再生される特殊プログラム再生モードである記録媒体再生装置。
　　【請求項４】　請求項３記載の記録媒体再生装置において、
　前記プログラム内では、再生順番を示すプログラム曲番号が各トラックナンバーに付されており、
　前記プログラム内で、オープン指示がなされた収納エリアの記録媒体のトラックナンバーが再生中のトラックナンバーより前に存在する場合には、前記プログラムからオープン指示がなされた収納エリアの記録媒体のトラックナンバーを削除すると、再生中のトラックナンバーについてのプログラム曲番号を１だけ減らして、再生中のトラックナンバーのプログラム曲番号をディスプレイに表示する記録媒体再生装置。」
とあったものを、
「　【請求項１】　複数の記録媒体を収納部の各収納エリアに収納し随時引き出して再生することができるチェンジャ式記録媒体再生装置であって、収納部内の各記録媒体のトラックナンバーをプログラムして連続再生するプログラム再生モードを有する記録媒体再生装置において、
　前記収納部内の各記録媒体のトラックナンバーを再生順に並べたプログラムデータを記憶する手段と、
　前記プログラム再生モード時に、所定の収納エリアに対するオープン指示がなされた場合、その収納エリアの記録媒体に関するトラックナンバーを前記プログラムデータから削除し、その後に当該収納エリアに新たな記録媒体が収納されたとき、当該新たな記録媒体に関するトラックナンバーを、前記プログラムデータの最後に自動的に追加する手段と、
　を備えたことを特徴とする記録媒体再生装置。
　　【請求項２】　請求項１記載の記録媒体再生装置において、プログラム再生モードは、収納部の各収納エリアに収納されている各記録媒体のうち任意の記録媒体に対応する記録媒体ナンバーとその記録媒体の再生したいトラックナンバーとをそれぞれ異なる記録媒体について指定すると、指定された順番に連続再生される通常プログラム再生モードである記録媒体再生装置。
　　【請求項３】　請求項１記載の記録媒体再生装置において、プログラム再生モードは、記録媒体の任意のトラックナンバーを１つ指定するだけで、収納部内の各記録媒体の前記指定トラックナンバーと同一のトラックナンバーのみが自動的にプログラムされて連続再生される特殊プログラム再生モードである記録媒体再生装置。
　　【請求項４】　請求項３記載の記録媒体再生装置において、
　前記プログラム内では、再生順番を示すプログラム曲番号が各トラックナンバーに付されており、
　前記プログラム内で、オープン指示がなされた収納エリアの記録媒体のトラックナンバーが再生中のトラックナンバーより前に存在する場合には、前記プログラムからオープン指示がなされた収納エリアの記録媒体のトラックナンバーを削除すると、再生中のトラックナンバーについてのプログラム曲番号を１だけ減らして、再生中のトラックナンバーのプログラム曲番号をディスプレイに表示する記録媒体再生装置。」
と補正しようとするものである。
　
　すると、本件手続補正は、各請求項において、「収納部内の各記録媒体のトラックナンバーを再生順に並べたプログラムデータを記憶する手段」を備えることを限定するとともに、本件手続補正前に「プログラム」とされていたものを「プログラムデータ」と表現をあらためるものであるから、特許法第１７条の２第４項第２号の特許請求の範囲の減縮を目的とするものに該当する。
　
　そこで、本件手続補正における特許請求の範囲に記載されている事項により特定される発明が特許出願の際独立して特許を受けることができるものであるか（特許法第１７条の２第５項において準用する同法第１２６条第５項に規定する要件を満たすか）否かを、請求項１に係る発明（以下、「本願補正発明」という。）について、以下に検討する。
　
（２）引用例
１）第１引用例
　原査定の拒絶の理由に引用された、本願出願前に頒布された刊行物である特開平８−３１０７４号公報（以下、「第１引用例」という。）には、図面とともに以下の技術事項が記載されている。
（ａ）
「【０００１】
【産業上の利用分野】本発明は、コンパクトディスク（ＣＤ）と称されるデジタルオーディオディスクの再生装置に適用して好適なディスク再生装置に関し、特に複数枚のディスクを収納できる再生装置に関する。」
（ｂ）
「【００１８】本例においては、１０枚のオーディオ用コンパクトディスクを収納して再生できる再生装置としたもので、図中１は再生装置の各部を制御するシステムコントローラを示し、このシステムコントローラ１には機構部コントローラ２が接続されている。そして、この機構部コントローラ２の制御により、ディスク再生機構部１０が制御される。
【００１９】このディスク再生機構部１０としては、接続されたディスクマガジン１１内に収納されたディスクを再生するための機構が設けられている。即ち、ディスクマガジン１１は、１０個のディスクの収納部１２ａ，１２ｂ，１２ｃ‥‥１２ｊを有し、各収納部１２ａ〜１２ｊに１枚ずつコンパクトディスク４を収納させることができるようにしてある。そして、ディスク移送部２０により、この各収納部１２ａ〜１２ｊの中の所定の収納部にセットされた所定のディスク４ａを引き出してディスク再生部３０に装着させることができるようにしてある。
【００２０】このディスク移送部２０は、移送用モータ２１によって駆動されるエレベータ機構２２を備え、このエレベータ機構２２によってディスクマガジン１１を上下に移動させて、各収納部１２ａ〜１２ｊに収納されたディスク４をディスク再生部３０に装着できる位置に移動させることができるようにしてある。また、エレベータ機構２２によるディスクマガジン１１の駆動位置が、位置検出部２３で検出されるようにしてある。」
（ｃ）
「【００２４】また、再生モードを設定するキーとして操作キー４６〜５０を備える。即ち、ディスクの再生を指示された番号の曲から（指示がないときは最初の曲から）、最後まで順番に再生させるノーマル再生モードを設定させるノーマル再生キー４６と、指示されたディスクの指示された番号の曲だけを再生させるプログラム再生モードを設定させるプログラム再生キー４７と、繰り返し再生を行うリピート再生モードを設定させるリピート再生キー４８と、不特定の順序で再生させるシャッフル再生モードを設定させるシャッフル再生キー４９と、ディスクの１曲目だけを再生させる１曲目再生モードを設定させる１曲目再生キー５０とを備える。
【００２５】また、ディスクマガジン１１に用意された１０個の収納部１２ａ〜１２ｊに対応した１０個のディスク番号キー５１，５２，５３‥‥６０を備えると共に、曲番号１〜１０に対応した１０個の曲番号キー６１，６２，６３‥‥７０を備える。また、この曲番号キー６１〜７０の近傍には、入力する曲番号を１０加算する＋１０キー７１が配置してある。
【００２６】これらのキーを操作したときには、システムコントローラ１に対応した操作情報が供給され、システムコントローラ１が対応したディスク再生にかかわる動作制御を行う。そして、このディスク再生を行う際の再生モードとしては、操作キー４６〜５０の操作に基づいて設定される。その再生モードの詳細について説明すると、ここではノーマル再生キー４６により設定され連続的に再生を行うノーマル再生モードと、プログラム再生キー４７により設定されるプログラム再生モードと、リピート再生キー４８により設定されるリピート再生モードと、シャッフル再生キー４９により設定されるシャッフル再生モードと、１曲目再生キー５０により設定される１曲目再生モードとがある。
【００２７】ここで、ノーマル再生モードが設定された場合には、ディスク番号キー５１〜６０で指示されたディスク番号及び曲番号キー６１〜７１で指示された曲番号からの連続的な再生を行うように、システムコントローラ１が再生順序の制御を行う。
【００２８】そして、プログラム再生モードが設定された場合には、ディスク番号キー５１〜６０で指示されたディスク番号及び曲番号キー６１〜７１で指示された曲（複数の曲が指示される場合もある）だけの再生を行うように、システムコントローラ１が再生順序の制御を行う。」
　
　上記第１引用例に記載された事項及び図面を総合勘案すると、第１引用例には、結局、次の発明（以下、「引用発明」という。）が記載されている。
　
「複数枚のディスク４をディスクマガジン１１の各収納部１２ａ〜１２ｊに収納でき、各収納部１２ａ〜１２ｊに収納されたディスク４をディスク再生部３０に装着可能なディスク再生装置であって、指示されたディスク番号及び曲番号の曲だけの再生を行うプログラム再生モードを有するディスク再生装置。」
　
２）第２引用例
　また、同じく原査定の拒絶の理由に引用された、本願出願前に頒布された刊行物である特開平４−１３２８６号公報（以下、「第２引用例」という。）には、図面とともに以下の技術事項が記載されている。
（ｄ）
「（１）複数のディスクの連続演奏が可能な情報再生装置において、
　曲番を設定する曲番設定手段と、この曲番設定手段により設定された曲番を格納する格納手段と、この格納手段に格納された曲番に基づき、前記各ディスクを通して指定された曲番の曲のみを再生する再生手段とを具備することを特徴とする情報再生装置。」（特許請求の範囲）
（ｅ）
「本発明の情報再生装置では、曲番設定手段により曲番が設定されると、格納手段がその設定された曲番を格納する。次いで、再生手段が格納手段に格納された曲番に基づき、各ディスクを通して指定された曲番の曲のみを再生する。
　したがって、ディスク毎の指定曲番の設定が不要となるため、指定した曲番に対応する曲のみを再生することができる。このため、たとえば８ｃｍのシングルサイズのディスクを再生する場合、一般に１曲目に記録されているタイトル曲のみを再生することができる。」（２頁右上欄１８行〜同頁左下欄８行）
（ｆ）
「まず、イジェクトボタン（図示省略）を操作して、各トレイ６ａ、６ｂを引出した後、それぞれにディスク１２をセットし（第４図ａの状態）、たとえばトレイ６ａ（又は両方）を待機位置まで押込む。
　そして、指定キー３ａによって曲番を指定すると、曲番設定部３がその番号を設定し、これをＲＡＭ２が記憶する（ステップ３０１）。これが終了した後、プレイキー（図示省略）が操作されると（ステップ３０２）、第４図ｂに示すように、ディスク１２がターンテーブル９にクランプされ、指定された曲番の曲の演奏が開始される（ステップ３０３）　。
　指定された曲番の曲の演奏が終了すると（ステップ３０４）、ディスク１２のターンテーブル９へのクランプが解除される（ステップ３０５）。その解除が終了すると、ディスク１２がトレイ６ａ内に戻され。
　次いで、トレイ６ｂが待機位置に有るか否かの判断が行われ（ステップ３０６）、トレイ６ｂがその位置に無ければ待機位置に移動させる（ステップ３０７）。その後（又は同時に）、第４図ｃに示すように、トレイ６ａは、待機位置に移動される（ステップ３０８）。
　これら各トレイ６ａ、６ｂの移動が終了した後、トレイ６ｂが演奏開始位置に移動され（ステップ３０９）、第４図ｄに示すように、ディスク１２の有無が判断される（ステップ３１０）。
　ここで、ディスク１２の有無の判断は、まずピックアップ４ａにより、ディスク１２の記録面に対してフォーカスがとられる。このとき、フォーカスインができないとき、又はＲＦ信号に含まれる同期信号が無ければディスク無しと判断される。
　ディスク１２の有無の判断が終了し、そのＴＯＣ情報が読取られると（ステップ３１１）、ディスク１２内に指定された曲番が存在するか否かの判断が行われる（ステップ３１２）。
　指定された曲番が存在する場合には、指定された曲番の曲の演奏が開始される（ステップ３１３）。更に、第４図ｄに示すように、待機位置にあるトレイ６ａがイジェクト位置に移動される（ステップ３１４）。これにより、ディスク１２の交換が可能となる。
　このようにして、指定された曲番の曲の演奏が連続して行われ、（ステップ３１０）にてトレイ６ｂ内にディスク１２が保持されていない場合、又は（ステップ３１２）にて演奏すべきディスク１２内に指定された曲番が存在しない場合には、演奏動作が終了する。このとき、各トレイ６ａ、６ｂは、第４図ｃに示すように、待機位置に移動している。」（３頁左上欄８行〜同頁左下欄１８行）
（ｇ）
「以上説明したように、本発明の情報再生装置によれば、ディスクを交換する毎の指定曲番の設定が不要となるため、指定した曲番に対応する曲のみを再生することができるので、操作性の向上を図ることができる。」（５頁左上欄６行〜同欄１０行）
　
（３）対比
　本願補正発明と引用発明とを対比する。
　引用発明における「複数枚のディスク４をディスクマガジン１１の各収納部１２ａ〜１２ｊに収納でき、各収納部１２ａ〜１２ｊに収納されたディスク４をディスク再生部３０に装着可能なディスク再生装置」は、本願補正発明における「複数の記録媒体を収納部の各収納エリアに収納し随時引き出して再生することができるチェンジャ式記録媒体再生装置」に相当する。
　また、引用発明における「指示されたディスク番号及び曲番号の曲だけの再生を行うプログラム再生モード」は、本願補正発明における「収納部内の各記録媒体のトラックナンバーをプログラムして連続再生するプログラム再生モード」に相当する。
　すると、本願補正発明と引用発明とは、次の点で一致する。
＜一致点＞
「複数の記録媒体を収納部の各収納エリアに収納し随時引き出して再生することができるチェンジャ式記録媒体再生装置であって、収納部内の各記録媒体のトラックナンバーをプログラムして連続再生するプログラム再生モードを有する記録媒体再生装置。」
　
　一方、次の点で相違する。
（相違点）
　本願補正発明は、「収納部内の各記録媒体のトラックナンバーを再生順に並べたプログラムデータを記憶する手段と、」「プログラム再生モード時に、所定の収納エリアに対するオープン指示がなされた場合、その収納エリアの記録媒体に関するトラックナンバーをプログラムデータから削除し、その後に当該収納エリアに新たな記録媒体が収納されたとき、当該新たな記録媒体に関するトラックナンバーを、プログラムデータの最後に自動的に追加する手段と、」を備えるのに対し、引用発明は、プログラムデータの記憶内容について、及び、オープン指示がなされたり、新たな記録媒体が収納されたときにどのような処理がなされるかについて、特段の記載がない点。
　
（４）判断
　プログラム再生モードを有する記録媒体再生装置において、連続再生する曲のトラックナンバーを再生順に並べたプログラムデータを記憶手段に記憶することは、例えば、実願昭６０−９８６４１号（実開昭６２−７６９２号）のマイクロフィルム、特開平７−３２０４６３号公報に記載されているように、本願出願前に当業者にとって周知技術であり、また、複数の記録媒体を装填し、連続再生することが可能な記録媒体再生装置において、所定の記録媒体のイジェクト操作がなされた場合に、当該記録媒体が再生予定から外れるように再生順を示すデータを変更、要するに削除することも、例えば、上記特開平７−３２０４６３号公報、特開平５−１９８０６７号公報に記載されているように周知技術である。
　よって、引用発明において、収納部内の各記録媒体のトラックナンバーを再生順に並べたプログラムデータを記憶すること、プログラム再生モード時に、所定の収納エリアに対するオープン指示がなされた場合、その収納エリアの記録媒体に関するトラックナンバーをプログラムデータから削除することは、当業者が適宜採用し得る程度のことと認められる。
　また、上記第２引用例には、オープン動作がなされた収納エリアに記録媒体が収納されたとき、所定のトラックナンバーの曲を自動的に再生する記録媒体再生装置が記載されているから、引用発明においても、プログラム再生モード時に、所定の収納エリアに対するオープン指示がなされ、その後に当該収納エリアに新たな記録媒体が収納されたとき、その記録媒体について所定のトラックナンバーの曲を自動的に再生するようにすることは、当業者が容易になし得ることであり、この際、新たな記録媒体に関するトラックナンバーをプログラムデータの最後に自動的に追加することは、このことでの特段の技術的意義が認められるものでないことからも、適宜に採用し得る程度のことと認められる。
　
（５）本件補正についての結び
　以上のとおり、本願補正発明は、第１引用例及び第２引用例並びに周知技術に基づいて当業者が容易に発明をすることができたものであり、特許法第２９条第２項の規定により、特許出願の際独立して特許を受けることができないものであるから、本件手続補正は、特許法第１７条の２第５項において準用する同法第１２６条第５項に規定する要件を満たさないものであり、特許法第１５９条第１項の規定で準用する同法第５３条第１項の規定により却下すべきものである。
　
３．本願発明について
（１）本願発明
　平成１６年４月９日付けの手続補正は上記のとおり却下されたので、本願の請求項１〜４に係る発明は、平成１６年２月６日付け手続補正により補正された明細書の特許請求の範囲の請求項１〜４に記載されたとおりのものと認められるところ、そのうち請求項１に係る発明（以下、「本願発明」という。）は、上記「２．〔理由〕（１）」に本件手続補正前の請求項１として掲げたとおりのものである。
　
（２）引用例
　原査定の拒絶の理由に引用された引用例及びその記載事項は、上記「２．〔理由〕（２）」に記載したとおりである。
　
（３）対比・判断
　本願発明は、上記「２．〔理由〕」で検討した本願補正発明から、収納部内の各記録媒体のトラックナンバーを再生順に並べたプログラムデータを記憶する手段を備えることの限定を削除するとともに、「プログラムデータ」を「プログラム」に表現を変えた（実質的な内容は変わらない）ものに相当する。
　そうすると、本願発明の構成要件を全て含み、さらに他の要件を付加したものに相当する本願補正発明が、上記「２．〔理由〕」に示したとおり、第１引用例及び第２引用例並びに周知技術に基づいて当業者が容易に発明をすることができたものであるから、本願発明も、同様の理由により、第１引用例及び第２引用例並びに周知技術に基づいて当業者が容易に発明をすることができたものである。
　
（４）むすび
　以上のとおり、本願の請求項１に係る発明は、特許法第２９条第２項の規定により特許を受けることができないものであるから、本願は、その余の請求項について論及するまでもなく、拒絶すべきものである。
　よって、結論のとおり審決する。